(57)【特許請求の範囲】
【請求項１】
光検出部と、前記光検出部のアノード及びカソードと並列接続された第１の電気容量と、前記カソードに接続され選択されると導通とし非選択で絶縁とするスイッチングＴＦＴとを有して構成される光電変換素子と、
前記スイッチングＴＦＴを介して前記第１の電気容量から読み出した電荷に比例する信号を増幅する増幅器と、
前記増幅器と前記スイッチングＴＦＴとの間に一端が接続され他端がグランドに接続されている第２の電気容量と、
前記増幅器の出力をＡ／Ｄ変換するＡ／Ｄ変換回路と、
前記スイッチングＴＦＴと前記増幅器とに電源を供給する第１の電源と、
前記Ａ／Ｄ変換回路に電源を供給している第２の電源と、
前記スイッチングＴＦＴと前記第１の電源とを制御するＣＰＵとを備え、
前記ＣＰＵは、前記スイッチングＴＦＴを非選択の状態で撮像可能な状態である第１の状態と、前記スイッチングＴＦＴを選択された状態で前記スイッチングＴＦＴのゲート、ソース及びドレインをグランド電位として、前記アノードと前記カソードとをグランド電位に制御する第２の状態と、を実現する機能を有し、前記第１の状態時にＸ線ディジタル画像を撮影した後に、前記第２の状態に所定時間移行することを特徴とする撮像装置。
【請求項２】
Ｘ線ディジタル画像を撮影した後に移行する前記第２の状態の時間は任意に変更できることを特徴とする請求項１に記載の撮像装置。
【発明の詳細な説明】
【０００１】
【発明の属する技術分野】
本発明は、被験体の光を検出して画像を構成する撮像装置及び方法に関し、特に、光電変換素子が平面に多数配置された撮影装置であって、良好なＸ線ディジタル画像を撮影するためのＸ線撮影装置に関するものである。
【０００２】
【従来の技術】
従来、医療診断を目的とする放射線撮影である医療用放射線撮影において、（スポット）撮影には、増感紙とＸ線写真フィルムを組み合わせたＸ線写真法が用いられている。
【０００３】
この方法によれば、被検体を透過したＸ線等の放射線が増感紙に入射すると、増感紙に含まれる蛍光体がこのＸ線エネルギーを吸収し、蛍光を発する。
【０００４】
この発光がＸ線写真フィルムを感光させ、Ｘ線写真フィルム上には放射線画像が形成される。このフィルムを現像・定着処理することによってＸ線画像を可視化することができる。
【０００５】
そして、最近では放射線画像をディジタル的に取り込む手法が種々開発されている。Ｘ線に感度を持ち、検出したＸ線をその強度に応じた電気信号に変換・出力する光電変換素子、あるいはＸ線のエネルギーを吸収し、それに応じた強度の蛍光を発する蛍光体と、可視光に感度を持ちその強度に応じた電気信号を出力する光電変換素子の組み合わせからなるＸ線画像検出手段を用いて、Ｘ線画像を電気信号に変換し、Ａ／Ｄ変換によってディジタル的に取り込む手法等がある。
【０００６】
ここでは、蛍光体と光電変換素子とを組み合わせたＸ線撮影装置を例に挙げて説明する。
【０００７】
図４は従来のＸ線撮影装置の一例を示した概略ブロック図である。
図４において、１はＸ線発生装置、２は被写体、３は蛍光体、４は光電変換素子が平面に多数配置された光電変換装置、５はＸ線制御装置を表す。Ｘ線発生装置１から照射されたＸ線は、被写体２を通過して蛍光体３によって、入射したＸ線量に比例した光に変換される。この光は光電変換装置４によって電気信号に変換され、Ｘ線制御装置５にＸ線ディジタル画像が転送される。そして、転送されたＸ線ディジタル画像はＸ線制御装置５によって画像処理され、不図示の表示装置に撮影したＸ線ディジタル画像が表示される。
【０００８】
図５に光電変換素子の等価回路を示す。
以下の例では光電変換素子としてアモルファスシリコンセンサについて説明を加えていくが、光電変換素子は特に限定する必要はなく、例えばその他の固体撮像素子（電荷結合素子など）あるいは光電子倍増管のような素子であってもよい。
【０００９】
図５において、１素子の光電変換素子２０の構成は光検出部２１と電荷の蓄積および読み取りを制御するスイッチングＴＦＴ２２とで構成され、一般にはガラスの基板上に配されたアモルファスシリコン（α−Ｓｉ）で形成される。
【００１０】
光検出部２１中の２１Ｃはこの例では単に寄生キャパシタンスを有した光ダイオードでもよいし、光ダイオード２１Ｄと検出器のダイナミックレンジを改良するように追加コンデンサ２１Ｃを並列に含んでいる光検出器と捉えても良い。
【００１１】
ダイオード２１ＤのアノードＡはリフレッシュ制御回路２３に接続されており、リフレッシュ制御回路２３がリフレッシュ信号を出力することによりコンデンサ２１Ｃを初期化する。通常、リフレッシュ制御回路２３は電圧Ｖｓのバイアス電圧を出力しており、リフレッシュ信号として出力する時にはリフレッシュ電圧Ｖｒを出力する。
【００１２】
また、カソードＫはコンデンサ２１Ｃに蓄積された電荷を読み出すための制御自在なスイッチングＴＦＴ２２に接続されている。この例では、スイッチングＴＦＴ２２はダイオード２１ＤのカソードＫと電荷読み出し用増幅器２５との間に接続された薄膜トランジスタである。また、スイッチングＴＦＴ２２と増幅器２５との間にはコンデンサ１９が配置されている。ただし、コンデンサ１９は実際の素子として存在しているわけでなく、配線の寄生キャパシタンスにより形成されたものである。
【００１３】
また、ＴＦＴ２２のゲートＧにはゲート制御回路２４が接続されており、ゲート制御回路２４がゲート信号を出力することによりコンデンサ２１Ｃに蓄積された電荷をコンデンサ１９に転送し、コンデンサ２１Ｃに蓄積された電荷を読み出す。
【００１４】
図５に示した光電変換素子２０が初めてＸ線を検出する場合には、最初にリフレッシュ制御回路２３がリフレッシュ信号を出力して光検出部２１を初期化する。この時、コンデンサ２１Ｃには電荷は蓄積されていない。
【００１５】
そして、Ｘ線を照射することにより、光ダイオード２１ＤでＸ線量に応じた電荷発生し、コンデンサ２１Ｃに電荷が蓄積される。その後、ゲート制御回路２４がゲート信号を出力することにより光検出部２１に蓄積された電荷を、コンデンサ１９に転送する。
【００１６】
このとき、例えばＸ線照射によって、コンデンサ２１Ｃにαの電荷が蓄積され、コンデンサ１９とコンデンサ２１Ｃの容量が等しいと仮定すると、コンデンサ１９に転送される電荷はα／２である。そのため、コンデンサ２１Ｃにもα／２の電荷が残っている。
【００１７】
コンデンサ１９に蓄積された電荷は増幅器２５によって増幅され、サンプルホールド回路２６を通して、Ａ／Ｄ変換回路２７によってＡ／Ｄ変換を行うことにより入射Ｘ線量を検出する。
【００１８】
そして、再び光電変換素子がＸ線を検出する場合には、リフレッシュ制御回路２３がリフレッシュ信号を出力して光検出部２１を初期化し、前回のＸ線検出と同様の動作を繰り返す。
【００１９】
【発明が解決しようとする課題】
しかしながら、上述の従来例では、２回目のＸ線撮影時にはコンデンサ２１Ｃにα／２の電荷が残っている。この状態で、リフレッシュ制御回路２３がリフレッシュ信号を出力して、コンデンサ２１Ｃに残った電荷を完全に取り去るのは非常に時間がかかる。従って、通常はリフレッシュ制御回路２３が出力するリフレッシュ信号はある程度の時間で打ち切られてしまい、コンデンサ２１Ｃには前回Ｘ線撮影した時に蓄積された電荷の一部が残ったままとなる。
【００２０】
つまり、前記従来例では、光電変換素子２０がＸ線を検出する場合には、光検出部２１にＸ線量に応じた電荷が蓄積され、ゲート制御回路２４がゲート信号を出力することにより光検出部２１に蓄積された電荷を読み出しているが、全て電荷が読み出されず、Ｘ線量に応じて蓄積された電荷の一部が光検出部２１に残ってしまう。そして、光検出部２１に蓄積された電荷の全てが読み出されない場合は、次にリフレッシュ制御回路２３がリフレッシュ信号を出力して光検出部２１を初期化しても完全には初期化されず、一部の電荷が残ってしまう。
【００２１】
そのため、連続してＸ線撮影を行う場合は、最初に検出したＸ線量の一部が２度目に検出したＸ線量に加算されてしまい、２度目に撮影したＸ線ディジタル画像には１度目に撮影したＸ線ディジタル画像の残像が残ってしまうという問題があった。
【００２２】
そこで本発明は、前記課題に鑑みてなされたものであり、光検出部に残った電荷を取り去ることにより、連続してＸ線撮影を行う場合でも、２度目に撮影したＸ線ディジタル画像に１度目に撮影したＸ線ディジタル画像の残像が残らないようにし、高精度の画像取得を可能とする信頼性の高い撮像装置及び方法を提供することを目的とする。
【００２３】
【課題を解決するための手段】
本発明の撮像装置は、光検出部と、前記光検出部のアノード及びカソードと並列接続された第１の電気容量と、前記カソードに接続され選択されると導通とし非選択で絶縁とするスイッチングＴＦＴとを有して構成される光電変換素子と、前記スイッチングＴＦＴを介して前記第１の電気容量から読み出した電荷に比例する信号を増幅する増幅器と、前記増幅器と前記スイッチングＴＦＴとの間に一端が接続され他端がグランドに接続されている第２の電気容量と、前記増幅器の出力をＡ／Ｄ変換するＡ／Ｄ変換回路と、前記スイッチングＴＦＴと前記増幅器とに電源を供給する第１の電源と、前記Ａ／Ｄ変換回路に電源を供給している第２の電源と、前記スイッチングＴＦＴと前記第１の電源とを制御するＣＰＵとを備え、前記ＣＰＵは、前記スイッチングＴＦＴを非選択の状態で撮像可能な状態である第１の状態と、前記スイッチングＴＦＴを選択された状態で前記スイッチングＴＦＴのゲート、ソース及びドレインをグランド電位として、前記アノードと前記カソードとをグランド電位に制御する第２の状態と、を実現する機能を有し、前記第１の状態時にＸ線ディジタル画像を撮影した後に、前記第２の状態に所定時間移行することを特徴とする。
【００２６】
本発明の撮像装置の一態様では、Ｘ線ディジタル画像を撮影した後に移行する前記第２の状態の時間は任意に変更できる。
【００３５】
【発明の実施の形態】
以下、本発明を適用した具体的な実施形態について図面を用いて詳細に説明する。
【００３６】
図１は本発明によるＸ線撮影装置の一例を示すブロック図である。
図１において、６は光電変換装置４からＸ線ディジタル画像を読み出すためのＣＰＵであり、電源７、リフレッシュ制御回路８、行アドレス選択回路９、列アドレス選択回路１０が接続されている。そして、ＣＰＵ６はそれぞれの回路を制御することが出来る。また、ＣＰＵ６はＸ線制御装置５と接続され、光電変換装置４から読み出したＸ線ディジタル画像をＸ線制御装置５に転送する。
【００３７】
通常、ＣＰＵ６は電源７を制御して、リフレッシュ制御回路８、行アドレス選択回路９、列アドレス選択回路１０に電源を供給している。ただし、ＣＰＵ６とＡ／Ｄ変換回路２７には不図示の電源より、常に電源が供給されている。
【００３８】
また、光電変換装置４は図５に示した光電変換素子２０を平面に多数配置したものであり、図１においては説明を簡単にするために、行方向に２つ、列方向に２つの光電変換素子２０を平面に配置している。
【００３９】
前述したように、１画素の光電変換素子２０は光検出部２１とスイッチングＴＦＴ２２とで構成される。光検出部２１（１、１）〜光検出部２１（２、２）は前述した光検出部２１に対応するものであり、光検出部２１のカソード側をＫ、アノード側をＡとして表している。また、ＴＦＴ２２（１、１）〜ＴＦＴ２２（２、２）はスイッチングＴＦＴ２２に対応するものであり、ＴＦＴのソース電極をＳ、ゲート電極をＧ、ドレイン電極をＤとして表している。
【００４０】
各行のＴＦＴ２２のゲート電極Ｇは行アドレス選択回路９と接続されており、行アドレス選択回路９は前述したゲート制御回路２４とスイッチＳＷｒ１〜２とからなっている。
【００４１】
各列のＴＦＴ２２のドレイン電極Ｄは列アドレス回路１０と接続されており、列アドレス回路１０は増幅器２５、サンプルホールド回路２６、スイッチＳＷｃ１〜２とからなっている。
【００４２】
また、光検出部２１のアノード側は全てリフレッシュ制御回路８に接続されており、通常リフレッシュ制御回路８は電圧Ｖｓのバイアス電圧を出力しており、リフレッシュ信号として出力する時にはリフレッシュ電圧Ｖｒを出力する。
【００４３】
なお、図１において、説明を簡単にするために図５に示したコンデンサ１９は省略している。
【００４４】
次に、Ｘ線を照射して光電変換装置４からＸ線ディジタル線画像を取り込むための手順を、図２のフローチャートを用いて説明する。
【００４５】
最初に、ＣＰＵ６は電源７を制御して、リフレッシュ制御回路８、行アドレス選択回路９、列アドレス選択回路１０に電源を供給し、レディ状態になる（Ｓ１）。
【００４６】
このように、リフレッシュ制御回路８、行アドレス選択回路９、列アドレス選択回路１０に電源が供給され、ＣＰＵ６がそれぞれの回路を制御することができる第１の状態をレディ状態と呼ぶ。そして、レディ状態の時にＸ線撮影が可能となる。
【００４７】
続いて、レディ状態で、ＣＰＵ６はＸ線制御装置５からＸ線照射の要求を待つ（Ｓ２）。
【００４８】
ＣＰＵ６はＸ線照射の要求を受け取ると、ＣＰＵ６はリフレッシュ制御回路を制御する（Ｓ３）。具体的には、リフレッシュ制御回路がリフレッレシュ信号を出力し、光検出部２１（１、１）〜２１（２、２）を初期化する。
【００４９】
光検出部２１の初期化が終了すると、Ｘ線発生装置１はＸ線を放射する（Ｓ４）。Ｘ線が照射されると、光検出部２１（１、１）〜２１（２、２）にはＸ線量に応じた電荷が蓄積される。
【００５０】
その後、ＣＰＵ６は変数Ｒを１に初期化し、変数Ｎｒを２に設定する（Ｓ５）。ここで、Ｎｒは光電変換装置４の行方向の光電変換素子数を示す。
【００５１】
次に、ＣＰＵ６は行アドレス選択回路を制御して、Ｒ行目のＴＦＴ２２（Ｒ、１）〜ＴＦＴ２２（Ｒ、２）を選択し（Ｓ６）、ゲート信号を出力する。例えば、Ｒが１の時にはスイッチＳＷｒ１をＯＮし、ゲート制御回路２４がゲート信号を出力する。すると、Ｒ行目のＴＦＴ２２（Ｒ、１）〜ＴＦＴ２２（Ｒ、２）が選択され、光検出部２１（Ｒ、１）〜２１（Ｒ、２）に蓄積された電荷が読み出し可能となる。
【００５２】
次に、ＣＰＵ６は変数Ｃを１に初期化し、変数Ｎｃを２に設定する（Ｓ７）。ここで、Ｎｃは光電変換装置４の列方向の光電変換素子数を示す。
【００５３】
その後、ＣＰＵ６は列アドレス選択回路を制御して、全列の光検出部２１の信号を増幅器２５で増幅する。その後、サンプルホールド回路２６が増幅された信号をホールドし、Ｃ行目のスイッチＳＷｃをＯＮする（Ｓ８）。例えば、Ｃが１の時には、１列目のＳＷｃ１をＯＮすれば１列目の光検出部２１（Ｒ、１）の増幅された信号がＡ／Ｄ変換回路２７に出力される。そして、Ａ／Ｄ変換回路２７で信号をＡ／Ｄ変換し（Ｓ９）、ディジタル化されたデータはＣＰＵ６に取り込まれ、Ｘ線制御装置５に転送される。
【００５４】
その後、変数Ｃの値を１増やし（Ｓ１０）、Ｃの値がＮｃ以下かどうかを判定する（Ｓ１１）。もしＣの値がＮｃ以下ならばＳ８に分岐し、再びＳ８〜Ｓ１１の処理を繰り返す。Ｃの値がＮｃより大きい場合はループを抜け出して、次の処理に移る。
【００５５】
ループを抜け出した場合は、変数Ｒの値を１増やし（Ｓ１２）、Ｒの値がＮｒ以下かどうかを判定する（Ｓ１３）。もしＲの値がＮｒ以下ならばＳ６に分岐し、再びＳ６〜Ｓ１３の処理を繰り返す。また、もしＲの値がＮｒより大きい場合はループを抜け出す。
【００５６】
そして、このループを抜け出すと、全ての光電変換素子２０に蓄積された電荷が読み出される。ただし、既に従来例で述べたように、光電変換素子２０には蓄積された電荷の一部は残ったままである。また、Ｓ６〜Ｓ１３までの処理のように、光電変換素子２０に蓄積された電荷が読み出す動作を駆動と呼ぶ。
【００５７】
次に、ＣＰＵ６は電源７を制御して、リフレッシュ制御回路８、行アドレス選択回路９、列アドレス選択回路１０への電源供給を停止し、スリープ状態になる（Ｓ１４）。このように、リフレッシュ制御回路８、行アドレス選択回路９、列アドレス選択回路１０への電源供給を停止した第２の状態をスリープ状態と呼ぶ。そして、スリープ状態では電源７からのそれぞれの回路への電源供給が停止しているので、光検出部２１のアノード電極Ａ、カソード電極Ｋ、またＴＦＴ２２のソース電極Ｓ、ゲート電極Ｇ、ドレイン電極Ｄはグランド電位となる。そのため、光検出部２１に残った電荷は除去される。
【００５８】
そして、所定時間スリープ状態で待機し（Ｓ１５）、その後Ｓ１に戻り、再びレディ状態となり、次のＸ線照射の要求を待つ。再びＸ線照射要求が来ると、上述した処理を繰り返す。
【００５９】
一般的にスリープ状態で待機する時間は１００ｍｓ〜１ｓ程度であり、通常はこの程度の時間で光電変換素子を駆動した後に残った電荷が完全になくなる。ただし、スリープ状態で待機する時間は、光電変換素子の特性に応じて異なる。待機する時間が短すぎると電荷が残ったままであり、待機する時間が長いと次にＸ線撮影可能となるまでに時間がかかる。そのため、スリープ状態で待機する時間はＸ線制御装置５により変更可能となっており、光電変換素子の特性に応じた最適な時間を設定することができる。
【００６０】
図３は光電変換装置４からＸ線ディジタル線画像を取り込むための手順を示したタイミングチャートである。
【００６１】
図３において、ＡはＸ線照射状態を示し、Ｈの時はＸ線発生装置１がＸ線を照射した事を示す。Ｂはリフレッシュ状態を示し、Ｈの時はリフレッシュ制御回路８がリフレッシュ信号を出力した事を示す。ＣはスイッチＳＷｒ１の状態、ＤはスイッチＳＷｒ２の状態を示し、それぞれＨの時にスイッチがＯＮした事を示す。ＥはスイッチＳＷｃ１の状態、ＦはスイッチＳＷｃ２の状態を示し、それぞれＨの時にスイッチがＯＮした事を示す。
【００６２】
Ｇはレディ状態とスリープ状態を示し、Ｈの時はレディ状態、Ｌの時はスリープ状態を示す。
【００６３】
最初に、レディ状態の時に（ＧがＨ）、リフレッシュ制御回路８がリフレッシュ信号を出力し（ＢがＨ）、光検出部２１を初期化する。リフレッシュが終了すると、Ｘ線発生装置１がＸ線を照射する（ＡがＨ）。そして、Ｘ線が照射されると光検出部２１にはＸ線量に応じた電荷が蓄積される。
【００６４】
Ｘ線照射が終了すると、スイッチＳＷｒ１がＯＮとなり（ＣがＨ）、１行目のＴＦＴ２２（１、１）〜ＴＦＴ２２（１、２）が選択され、１行目の光検出部２１（１、１）〜２１（１、２）に蓄積された電荷が読み出し可能となる。この状態で、スイッチＳＷｃ１がＯＮとなり（ＥがＨ）、１行１列目の光検出部２１（１、１）の電荷が読み出され、読み出しが終了するとスイッチＳＷｃ１がＯＦＦとなる（ＥがＬ）。更に、スイッチＳＷｒ１がＯＮの状態で、スイッチＳＷｃ２がＯＮとなり（ＦがＨ）、今度は１行２列目の光検出部２１（１、２）の電荷が読み出され、読み出しが終了するとスイッチＳＷｃ２がＯＦＦとなる（ＦがＬ）。その後、スイッチＳＷｒ１がＯＦＦとなる（ＣがＬ）。
【００６５】
次に、スイッチＳＷｒ２がＯＮとなり（ＤがＨ）、２行目のＴＦＴ２２（２、１）〜ＴＦＴ２２（２、２）が選択され、２行目の光検出部２１（２、１）〜２１（２、２）に蓄積された電荷が読み出し可能となる。この状態で、スイッチＳＷｃ１がＯＮとなり（ＥがＨ）、２行１列目の光検出部２１（２、１）の電荷が読み出され、読み出しが終了するとスイッチＳＷｃ１がＯＦＦとなる（ＥがＬ）。更に、スイッチＳＷｒ２がＯＮの状態で、スイッチＳＷｃ２がＯＮとなり（ＦがＨ）、今度は２行２列目の光検出部２１（２、２）の電荷が読み出され、読み出しが終了するとスイッチＳＷｃ２がＯＦＦとなる（ＦがＬ）。その後、スイッチＳＷｒ１がＯＦＦとなる（ＣがＬ）。
【００６６】
そして、全ての電荷がよみだされるとスリープ状態になり（ＧがＬ）、所定時間スリープ状態を維持した後に再びレディ状態となる（ＧがＨ）。
【００６７】
本実施形態では、光電変換装置４は２行２列の光電変換素子が平面に配置したものとして説明しているが、これに限定されるものではなく、実際には行方向が１０００〜４０００、列方向は１０００〜４０００からなる場合が多い。ただし、これに限定されるものではなく、もっと少なくても多くてもよい。
【００６８】
また、本実施形態では、行アドレス選択回路９はゲート制御回路２４とスイッチＳＷｒ１〜２とからなるとしているが、これに限定されるものではなく、行方向の光電変換素子２０を選択できればよい。
【００６９】
また、本実施形例では、列アドレス選択回路１０は増幅器２５、サンプルホールド回路２６、スイッチＳＷｃ１〜２とからなるとしているが、これに限定されるものではなく、列方向の光電変換素子２０を選択できればよい。
【００７０】
また、図１において、電源７がリフレッシュ制御回路８、行アドレス選択回路９、列アドレス選択回路１０に電源を供給しており、Ａ／Ｄ変換回路１２は不図示の電源より常に電源が供給されているとして説明したが、これに限定されるものではなく、電源７がＡ／Ｄ変換回路２７に電源を供給してもよい。
【００７１】
また、本実施形態では、スリープ状態で待機する時間は１００ｍｓ〜１ｓ程度として説明したが、これに限定されるものではなく光電変換素子を駆動した後に残った僅かな電荷が完全になくなれば良い。
【００７２】
ここで、上述した実施形態の画像読取装置の各機能を実現するため、各種のデバイスを動作させるように、前記各種デバイスと接続された装置あるいはシステム内のコンピュータに対し、実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００７３】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００７４】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００７５】
更に、供給されたプログラムコードがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００７６】
【発明の効果】
本発明によれば、第１の状態時にＸ線撮影装置においてＸ線ディジタル画像を撮影した後は第２の状態に所定時間移行するようにし、光検出部に残った電荷を取り去ることにより、連続してＸ線撮影を行う場合でも、２度目に撮影したＸ線ディジタル画像に１度目に撮影したＸ線ディジタル画像の残像が残らないようにして、高精度の画像取得を可能とする信頼性の高い撮像装置を実現する。
【００７７】
また、第２の状態の時間は変更できるようにしたために、撮像素子の特性に応じて最適な時間が設定できるようになった。
【図面の簡単な説明】
【図１】本発明によるＸ線撮影装置の一例を示すブロック図である。
【図２】本発明によるＸ線ディジタル線画像を取り込むためのフローチャートである。
【図３】本発明によるＸ線ディジタル線画像を取り込むためのタイミングチャートである。
【図４】従来のＸ線撮影装置の一例を示した概略ブロック図である。
【図５】光電変換素子の等価回路図である。
【符号の説明】
１    Ｘ線発生装置
４    Ｘ線発生装置
５    Ｘ線制御装置
６    ＣＰＵ
７    電源
８    リフレッシュ回路
９    行アドレス選択回路
１０  列アドレス選択回路
２０  光電変換素子
【図１】
0004746746.tif 000002
【図２】
0004746746.tif 000003
【図３】
0004746746.tif 000004
【図４】
0004746746.tif 000005
【図５】
0004746746.tif 000006